【手続補正書】
【提出日】平成30年9月19日(2018.9.19)
【手続補正１】
【補正対象書類名】特許請求の範囲
【補正対象項目名】全文
【補正方法】変更
【補正の内容】
【特許請求の範囲】
【請求項１】
ポリオレフィン樹脂と、ポリアミド樹脂と、相容化剤と、含み、
前記相容化剤が、前記ポリアミド樹脂に対する反応性基を有する変性エラストマーである熱可塑性樹脂からなり、
前記ポリオレフィン樹脂は、連続相（Ａ）をなし、
前記ポリアミド樹脂及び前記変性エラストマーは、前記連続相（Ａ）中に分散された分散相（Ｂ）をなし、
破断伸度が５０％以上であることを特徴とする熱可塑性樹脂繊維。
【請求項２】
破断強度が０．５ｃＮ／ｄｔｅｘ以上３．０ｃＮ／ｄｔｅｘ以下である請求項１に記載の熱可塑性樹脂繊維。
【請求項３】
延伸前の破断強度をＳ０（ｃＮ／ｄｔｅｘ）とし、延伸後の破断強度をＳ１（ｃＮ／ｄｔｅｘ）とした場合に、これらの比（Ｓ０／Ｓ１）が、０．３以上１．１５以下である請求項１又は２に記載の熱可塑性樹脂繊維。
【請求項４】
延伸前の繊維径をＤ０（ｍｍ）とし、延伸後の繊維径をＤ１（ｍｍ）とした場合に、Ｄ０がＤ１より大きい請求項１乃至３のうちのいずれかに記載の熱可塑性樹脂繊維。
【請求項５】
前記分散相（Ｂ）は、前記分散相（Ｂ）内に分散された微分散相（Ｂ２）を有する請求項４に記載の熱可塑性樹脂繊維。
【請求項６】
請求項１乃至５のうちのいずれかに記載の熱可塑性樹脂繊維を用いたことを特徴とする布帛。
【請求項７】
ポリオレフィン樹脂と、ポリアミド樹脂と、相容化剤と、含み、
前記相容化剤が、前記ポリアミド樹脂に対する反応性基を有する変性エラストマーである熱可塑性樹脂からなり、破断伸度が５０％以上である熱可塑性樹脂繊維の製造方法であって、
ポリアミド樹脂及び前記ポリアミド樹脂に対する反応性基を有する変性エラストマーの溶融混練物、並びに、ポリオレフィン樹脂、を溶融混練してなる熱可塑性樹脂組成物を紡糸する紡糸工程を備えることを特徴とする熱可塑性樹脂繊維の製造方法。
【請求項８】
前記熱可塑性樹脂繊維をなす前記ポリオレフィン樹脂は、連続相（Ａ）をなし、
前記熱可塑性樹脂繊維をなす前記ポリアミド樹脂及び前記変性エラストマーは、前記連続相（Ａ）中に分散された分散相（Ｂ）をなしている請求項７に記載の熱可塑性樹脂繊維の製造方法。
【請求項９】
前記分散相（Ｂ）は、前記分散相（Ｂ）内に分散された微分散相（Ｂ２）を有する請求項８に記載の熱可塑性樹脂繊維の製造方法。
【手続補正２】
【補正対象書類名】明細書
【補正対象項目名】０００９
【補正方法】変更
【補正の内容】
【０００９】
請求項１に記載の熱可塑性樹脂繊維は、ポリオレフィン樹脂と、ポリアミド樹脂と、相容化剤と、含み、
前記相容化剤が、前記ポリアミド樹脂に対する反応性基を有する変性エラストマーである熱可塑性樹脂からなり、
前記ポリオレフィン樹脂は、連続相（Ａ）をなし、
前記ポリアミド樹脂及び前記変性エラストマーは、前記連続相（Ａ）中に分散された分散相（Ｂ）をなし、
破断伸度が５０％以上であることを要旨とする。
請求項２に記載の熱可塑性樹脂繊維は、請求項１に記載の熱可塑性樹脂繊維において、破断強度が０．５ｃＮ／ｄｔｅｘ以上３．０ｃＮ／ｄｔｅｘ以下であることを要旨とする。
請求項３に記載の熱可塑性樹脂繊維は、請求項１又は２に記載の熱可塑性樹脂繊維において、延伸前の破断強度をＳ０（ｃＮ／ｄｔｅｘ）とし、延伸後の破断強度をＳ１（ｃＮ／ｄｔｅｘ）とした場合に、これらの比（Ｓ０／Ｓ１）が、０．３以上１．１５以下であることを要旨とする。
請求項４に記載の熱可塑性樹脂繊維は、請求項１乃至３のうちのいずれかに記載の熱可塑性樹脂繊維において、延伸前の繊維径をＤ０（ｍｍ）とし、延伸後の繊維径をＤ１（ｍｍ）とした場合に、Ｄ０がＤ１より大きいことを要旨とする。
請求項５に記載の熱可塑性樹脂繊維は、請求項４に記載の熱可塑性樹脂繊維において、前記分散相（Ｂ）は、前記分散相（Ｂ）内に分散された微分散相（Ｂ２）を有することを要旨とする。
請求項６に記載の布帛は、請求項１乃至５のうちのいずれかに記載の熱可塑性樹脂繊維を用いたことを要旨とする。
請求項７に記載の熱可塑性樹脂繊維の製造方法は、ポリオレフィン樹脂と、ポリアミド樹脂と、相容化剤と、含み、
前記相容化剤が、前記ポリアミド樹脂に対する反応性基を有する変性エラストマーである熱可塑性樹脂からなり、破断伸度が５０％以上である熱可塑性樹脂繊維の製造方法であって、
ポリアミド樹脂及び前記ポリアミド樹脂に対する反応性基を有する変性エラストマーの溶融混練物、並びに、ポリオレフィン樹脂、を溶融混練してなる熱可塑性樹脂組成物を紡糸する紡糸工程を備えることを要旨とする。
請求項８に記載の熱可塑性樹脂繊維の製造方法は、請求項７に記載の熱可塑性樹脂繊維の製造方法において、前記熱可塑性樹脂繊維をなす前記ポリオレフィン樹脂は、連続相（Ａ）をなし、
前記熱可塑性樹脂繊維をなす前記ポリアミド樹脂及び前記変性エラストマーは、前記連続相（Ａ）中に分散された分散相（Ｂ）をなしていることを要旨とする。
請求項９に記載の熱可塑性樹脂繊維の製造方法は、請求項８に記載の熱可塑性樹脂繊維の製造方法において、前記分散相（Ｂ）は、前記分散相（Ｂ）内に分散された微分散相（Ｂ２）を有することを要旨とする。
【手続補正３】
【補正対象書類名】明細書
【補正対象項目名】００６６
【補正方法】変更
【補正の内容】
【００６６】
尚、本発明においては、上記の具体的な実施例に記載されたものに限られず、目的、用途に応じて本発明の範囲内で種々変更した実施例とすることができる。
また、参考として、
〔１〕熱可塑性樹脂繊維は、ポリオレフィン樹脂と、ポリアミド樹脂と、相容化剤と、含み、
前記相容化剤が、前記ポリアミド樹脂に対する反応性基を有する変性エラストマーである熱可塑性樹脂からなり、
破断伸度が５０％以上であることができる。
〔２〕熱可塑性樹脂繊維は、〔１〕に記載の熱可塑性樹脂繊維において、破断強度が０．５ｃＮ／ｄｔｅｘ以上３．０ｃＮ／ｄｔｅｘ以下であることができる。
〔３〕熱可塑性樹脂繊維は、〔１〕又は〔２〕に記載の熱可塑性樹脂繊維において、延伸前の破断強度をＳ０（ｃＮ／ｄｔｅｘ）とし、延伸後の破断強度をＳ１（ｃＮ／ｄｔｅｘ）とした場合に、これらの比（Ｓ０／Ｓ１）が、０．３以上１．１５以下であるができる。
〔４〕熱可塑性樹脂繊維は、〔１〕乃至〔３〕のうちのいずれかに記載の熱可塑性樹脂繊維において、延伸前の繊維径をＤ０（ｍｍ）とし、延伸後の繊維径をＤ１（ｍｍ）とした場合に、Ｄ０がＤ１より大きいものとすることができる。
〔５〕熱可塑性樹脂繊維は、〔１〕乃至〔４〕のうちのいずれかに記載の熱可塑性樹脂繊維において、前記ポリオレフィン樹脂は、連続相（Ａ）をなし、
前記ポリアミド樹脂及び前記変性エラストマーは、前記連続相（Ａ）中に分散された分散相（Ｂ）をなしているものとすることができる。
〔６〕熱可塑性樹脂繊維は、〔５〕に記載の熱可塑性樹脂繊維において、前記分散相（Ｂ）は、前記分散相（Ｂ）内に分散された微分散相（Ｂ２）を有することができる。
〔７〕布帛は、〔１〕乃至〔６〕のうちのいずれかに記載の熱可塑性樹脂繊維を用いたものとすることができる。
〔８〕熱可塑性樹脂繊維の製造方法は、前記ポリアミド樹脂及び前記変性エラストマーの溶融混練物、並びに、前記ポリオレフィン樹脂、を溶融混練してなる熱可塑性樹脂組成物を紡糸する紡糸工程を備えることができる。